(57)【要約】      （修正有） 【課題】使用に際し確実に紙を貫通させて複数枚数の紙を綴じることができる紙綴じ器を提供する。【解決手段】複数枚の紙の端部に厚さ方向に貫通部を形成することにより紙を綴じる紙綴じ器１０であって、周方向に沿って開口する紙挿入孔部１１を有するボディ部１２と、上記ボディ部の下方に配設され、上記ボディ部内において軸方向に沿って上下動し、上記開孔部との間に綴じる紙を挟持しうるベース部１３と、上記ボディ部の上方に配設され、上記ボディ部内において軸方向に沿って上下動し、上記紙挿入孔部の上縁部と上記ベース部との間に挟持された紙の端部を貫通させて複数の紙を厚さ方向に綴じる綴じ部とを有する紙綴じ器において上記紙挿入孔部は、最大５枚の紙を重ねた状態で挿入できるように形成されている。【選択図】図１
0003173244.tif 000002
【実用新案登録請求の範囲】
【請求項１】
複数枚の紙の端部に厚さ方向に貫通部を形成することにより紙を綴じる紙綴じ器であって、
周方向に沿って開口する紙挿入孔部を有するボディ部と、上記ボディ部の下方に配設され、上記ボディ部内において軸方向に沿って上下動し、上記開孔部との間に綴じる紙を挟持しうるベース部と、上記ボディ部の上方に配設され、上記ボディ部内において軸方向に沿って上下動し、上記紙挿入孔部の上縁部と
上記ベース部との間に挟持された紙の端部を貫通させて複数の紙を厚さ方向に綴じる綴じ部とを有する紙綴じ器において、
上記開孔部は、最大５枚の紙を重ねた状態で挿入できるように形成されていることを特徴とする紙綴じ器。
【請求項２】
上記紙挿入孔部の下端部と上記ベース部との間の間隔寸法は、５枚の紙の厚さ寸法の合計値に形成されていること特徴とする請求項１記載の紙綴じ器。
【請求項３】
上記ベース部は上半部と下半部とからなり、下半部は、上記紙挿入孔部の前方へ延出して下方へ傾斜する傾斜面部を有する紙挿入支持部を有することを特徴とする請求項２記載の紙綴じ器。
【請求項４】
上記紙挿入支持部は、略舌片状に形成されていることを特徴とする請求項３記載の紙綴じ器。
【請求項５】
上記ボディ部、ベース部及び綴じ部は円筒状に形成されていることを特徴とする請求項１記載の紙綴じ器。
【考案の詳細な説明】
【技術分野】
【０００１】
本考案は、紙綴じ器の改良に関する。
【背景技術】
【０００２】
従来から、針を使わない紙綴じ器が使用されている。
図２に示すように、このような紙綴じ器２０は、下端部に周方向に沿って開口する開口部２２を有する円筒状ボディ部２１と、上記円筒状ボディ部２１の下方に配設され、上記円筒状ボディ部２１内において軸方向に沿って上下動し、円筒状ボディ部２１の開孔部２２の上縁部２３との間に綴じる紙を挟持しうるベース部２４と、上記円筒状ボディ部２１の上方に配設され、上記円筒状ボディ部２１内において軸方向に沿って上下動し、上記開孔部２２の上縁部２３とベース部２４との間に挟持された紙の端部を貫通させて複数の紙を厚さ方向に綴じるように構成されている。
【０００３】
この場合、従来のこのような紙綴じ器２０にあっては、上記開孔部２２の上縁部２３と上記ベース部２４との間の間隔寸法は約３．５ｍｍに形成されていたことから、約２０枚の紙を挿入することができる。
【０００４】
しかしながら、このような紙綴じ器にあっては、余り多くの枚数の紙を挿入した場合には、貫通刃部が確実に貫通して複数枚の紙を綴じることができない場合があった。
従って、商品の販売の際には、「コピー用紙４枚まで」の表示がされており、使用者に、同時に多数枚の紙を動じに挿入することがないように注意を喚起するようにしていたが、使用者側は、どうしても、同時にできる限り多くの枚数の紙を一回で綴じたい、という気持ちがあることから、５枚以上の紙を同時に挿入して使用する場合が多く、場合によっては、貫通刃部が充分に他数枚の紙片を貫通することができない場合もあった。
【考案の開示】
【考案が解決しようとする課題】
【０００５】
本考案はこのような従来からの不具合を解決するためのものであって、その課題は、使用に際し確実に紙を貫通させて複数枚数の紙を綴じることができる紙綴じ器を提供することにある。
【課題を解決するための手段】
【０００６】
上記課題達成のため、請求項１記載の考案にあっては、複数枚の紙の端部に厚さ方向に貫通部を形成することにより紙を綴じる紙綴じ器であって、周方向に沿って開口する紙挿入孔部を有するボディ部と、上記ボディ部の下方に配設され、上記ボディ部内において軸方向に沿って上下動し、上記開孔部との間に綴じる紙を挟持しうるベース部と、上記ボディ部の上方に配設され、上記ボディ部内において軸方向に沿って上下動し、上記紙挿入孔部の上縁部と上記ベース部との間に挟持された紙の端部を貫通させて複数の紙を厚さ方向に綴じる綴じ部とを有する紙綴じ器において、上記紙挿入孔部は、最大５枚の紙を重ねた状態で挿入できるように形成されていることを特徴とする。
【０００７】
従って、請求項１記載の考案にあっては、５枚以下の紙を重ねた状態で使用することができる。
【０００８】
請求項２記載の考案にあっては、上記紙挿入孔部の下端部と上記ベース部との間の間隔寸法は、５枚の紙の厚さ寸法の合計値に形成されていること特徴とする。
【０００９】
請求項３記載の考案にあっては、上記ベース部は上半部と下半部とからなり、下半部は、上記紙挿入孔部の前方へ延出して下方へ傾斜する傾斜面部を有する紙挿入支持部を有することを特徴とする。
【００１０】
従って、請求項３記載の考案にあっては、綴じようとする紙を紙綴じ孔部に挿入しようとする場合には、紙は上記紙挿入支持部によりガイドされて挿入される。
【００１１】
請求項４記載の考案にあっては、上記紙挿入支持部は、略舌片状に形成されていることを特徴とする。
【００１２】
請求項５記載の考案にあっては、上記ボディ部、ベース部及び綴じ部は円筒状に形成されていることを特徴とする。
【考案の効果】
【００１３】
請求項１及び２記載の考案に係る紙綴じ器は、５枚以下の紙を重ねた場合にのみ使用することができることから、５枚以上の紙を同時に挿入して使用し、貫通刃部が充分に多数枚の紙片を貫通することができず、再度、紙を挿入して貫通作業を行う必要がある場合がある、という煩雑な事態を有効に防止することができる。
【００１４】
請求項３記載の考案にあっては、綴じようとする紙を紙綴じ孔部に挿入しようとする場合には、紙は上記紙挿入支持部によりガイドされて挿入されることから、複数枚の紙を綴じる際に紙綴じ口に入れやすい紙綴じ器を提供することができる。
【図面の簡単な説明】
【００１５】
【図１】本考案に係る紙綴じ器の一実施の形態を示す平面図である。
【図２】従来の紙綴じ器を示す斜視図である。
【考案を実施するための最良の形態】
【００１６】
以下、添付図面に示す実施の形態に基づき、本考案を詳細に説明する。
図１に示すように、本実施の形態に係る紙綴じ器１０は、複数枚の紙の端部に厚さ方向に貫通部を形成することにより紙を綴じる紙綴じ器であって、周方向に沿って開口する紙挿入孔部１１を有するボディ部１２と、上記ボディ部１２の下方に配設され、上記ボディ部１２内において軸方向に沿って上下動し、上記紙挿入孔部１１との間に綴じる紙を挟持しうるベース部１３と、上記ボディ部１２の上方に配設され、上記ボディ部１２内において軸方向に沿って上下動し、上記紙挿入孔部１１の上縁部１４と上記ベース部１３との間に挟持された紙の端部を貫通させて複数の紙を厚さ方向に綴じる綴じ部１５とを有している。
【００１７】
上記ボディ部１２、ベース部１３及び綴じ部１５は円筒状に形成されている。
上記ボディ部１２は上半部１２ａと下半部１２ｂとからなり、下半部１３ｂは、上記紙挿入孔部１１の前方へ延出して下方へ傾斜する傾斜面部１６を有する挿入支持部１７を備えている。上記紙挿入支持部１７は、略舌片状に形成されている。
【００１８】
そして、本実施の形態に係る紙綴じ器１０の紙挿入孔部１１は、最大５枚の紙が挿入できるように形成されている。即ち、上記紙挿入孔部１１の上端部１１ａと上記ベース部１３との間の間隔寸法Ｌは、５枚の一般的な紙の厚さ寸法の合計値である、約０．５ｍｍに形成されている。
【００１９】
従って、請求項１記載の考案にあっては、５枚以下の紙を重ねた状態でのみ使用することができ、６枚以上の紙を重ねて同時に紙挿入孔部１１内へ入れようとしても入らない。
【００２０】
その結果、６枚以上の多数枚の紙を同時に紙挿入孔部１１内へ入れることはできず、他数枚の紙を同時に挿入して紙綴じを行うことはできないことから、紙綴じ器１０の作動不良の事態を予防することができる。
【００２１】
上記実施の形態にあっては、ボディ部、ベース部及び綴じ部が全体略円筒状に形成された場合を例に説明したが、上記実施の形態に限定されない。
【産業上の利用可能性】
【００２２】
本考案に係る紙綴じ器に係る技術的思想は、広く各種の紙綴じ器に適用することができる。
【符号の説明】
【００２３】
１０  紙綴じ器
１１  紙挿入孔部  
１２  ボディ部
１２ａ  上半部
１２ｂ  下半部
１３  ベース部
１４  上縁部
１５  綴じ部
１６  傾斜面部
１７  挿入支持部    
２０  紙綴じ器
２１  ボディ部  
２２  開孔部
２３  上縁部
２４  ベース部
【図１】
0003173244.tif 000003
【図２】
0003173244.tif 000004
【手続補正書】
【提出日】平成23年11月21日(2011.11.21)
【手続補正１】
【補正対象書類名】実用新案登録請求の範囲
【補正対象項目名】全文
【補正方法】変更
【補正の内容】
【実用新案登録請求の範囲】
【請求項１】
複数枚の紙の端部に厚さ方向に貫通部を形成することにより紙を綴じる紙綴じ器であって、
周方向に沿って開口する紙挿入孔部を有するボディ部と、上記ボディ部の下方に配設され、上記ボディ部内において軸方向に沿って上下動し、上記開孔部との間に綴じる紙を挟持しうるベース部と、上記ボディ部の上方に配設され、上記ボディ部内において軸方向に沿って上下動し、上記紙挿入孔部の上縁部と
上記ベース部との間に挟持された紙の端部を貫通させて複数の紙を厚さ方向に綴じる綴じ部とを有する紙綴じ器において、
上記紙挿入孔部の上下方向における開口寸法は、５枚の紙の厚さ寸法と同一に形成されていることを特徴とする紙綴じ器。
【請求項２】
上記紙挿入孔部の下端部と上記ベース部との間の間隔寸法は、５枚の紙の厚さ寸法の合計値に形成されていること特徴とする請求項１記載の紙綴じ器。
【請求項３】
上記ベース部は上半部と下半部とからなり、下半部は、上記紙挿入孔部の前方へ延出して下方へ傾斜する傾斜面部を有する紙挿入支持部を有することを特徴とする請求項２記載の紙綴じ器。
【請求項４】
上記紙挿入支持部は、略舌片状に形成されていることを特徴とする請求項３記載の紙綴じ器。
【請求項５】
上記ボディ部、ベース部及び綴じ部は円筒状に形成されていることを特徴とする請求項１記載の紙綴じ器。
【手続補正２】
【補正対象書類名】明細書
【補正対象項目名】全文
【補正方法】変更
【補正の内容】
【考案の詳細な説明】
【技術分野】
【０００１】
本考案は、紙綴じ器の改良に関する。
【背景技術】
【０００２】
従来から、針を使わない紙綴じ器が使用されている。
図２に示すように、このような紙綴じ器２０は、下端部に周方向に沿って開口する開孔部２２を有する円筒状ボディ部２１と、上記円筒状ボディ部２１の下方に配設され、上記円筒状ボディ部２１内において軸方向に沿って上下動し、円筒状ボディ部２１の開孔部２２の上縁部２３との間に綴じる紙を挟持しうるベース部２４と、上記円筒状ボディ部２１の上方に配設され、上記円筒状ボディ部２１内において軸方向に沿って上下動し、上記開孔部２２の上縁部２３とベース部２４との間に挟持された紙の端部を貫通させて複数の紙を厚さ方向に綴じるように構成されている。
【０００３】
この場合、従来のこのような紙綴じ器２０にあっては、上記開孔部２２の上縁部２３と上記ベース部２４との間の間隔寸法は約３．５ｍｍに形成されていたことから、約２０枚の紙を挿入することができる。
【０００４】
しかしながら、このような紙綴じ器にあっては、余り多くの枚数の紙を挿入した場合には、貫通刃部が確実に貫通して複数枚の紙を綴じることができない場合があった。
従って、商品の販売の際には、「コピー用紙４枚まで」の表示がされており、使用者に、同時に多数枚の紙を挿入することがないように注意を喚起するようにしていたが、使用者側は、どうしても、同時にできる限り多くの枚数の紙を一回で綴じたい、という気持ちがあることから、５枚以上の紙を同時に挿入して使用する場合が多く、場合によっては、貫通刃部が充分に他数枚の紙片を貫通することができない場合もあった。
【考案の開示】
【考案が解決しようとする課題】
【０００５】
本考案はこのような従来からの不具合を解決するためのものであって、その課題は、使用に際し確実に紙を貫通させて複数枚数の紙を綴じることができる紙綴じ器を提供することにある。
【課題を解決するための手段】
【０００６】
上記課題達成のため、請求項１記載の考案にあっては、複数枚の紙の端部に厚さ方向に貫通部を形成することにより紙を綴じる紙綴じ器であって、周方向に沿って開口する紙挿入孔部を有するボディ部と、上記ボディ部の下方に配設され、上記ボディ部内において軸方向に沿って上下動し、上記開孔部との間に綴じる紙を挟持しうるベース部と、上記ボディ部の上方に配設され、上記ボディ部内において軸方向に沿って上下動し、上記紙挿入孔部の上縁部と上記ベース部との間に挟持された紙の端部を貫通させて複数の紙を厚さ方向に綴じる綴じ部とを有する紙綴じ器において、上記紙挿入孔部の上下方向における開口寸法は、５枚の紙の厚さ寸法と同一に形成されていることを特徴とする。
【０００７】
従って、請求項１記載の考案にあっては、５枚以下の紙を重ねた状態で使用することができる。
【０００８】
請求項２記載の考案にあっては、上記紙挿入孔部の下端部と上記ベース部との間の間隔寸法は、５枚の紙の厚さ寸法の合計値に形成されていること特徴とする。
【０００９】
請求項３記載の考案にあっては、上記ベース部は上半部と下半部とからなり、下半部は、上記紙挿入孔部の前方へ延出して下方へ傾斜する傾斜面部を有する紙挿入支持部を有することを特徴とする。
【００１０】
従って、請求項３記載の考案にあっては、綴じようとする紙を紙綴じ孔部に挿入しようとする場合には、紙は上記紙挿入支持部によりガイドされて挿入される。
【００１１】
請求項４記載の考案にあっては、上記紙挿入支持部は、略舌片状に形成されていることを特徴とする。
【００１２】
請求項５記載の考案にあっては、上記ボディ部、ベース部及び綴じ部は円筒状に形成されていることを特徴とする。
【考案の効果】
【００１３】
請求項１及び２記載の考案に係る紙綴じ器は、５枚以下の紙を重ねた場合にのみ使用することができることから、５枚以上の紙を同時に挿入して使用し、貫通刃部が充分に多数枚の紙片を貫通することができず、再度、紙を挿入して貫通作業を行う必要がある場合がある、という煩雑な事態を有効に防止することができる。
【００１４】
請求項３記載の考案にあっては、綴じようとする紙を紙綴じ孔部に挿入しようとする場合には、紙は上記紙挿入支持部によりガイドされて挿入されることから、複数枚の紙を綴じる際に紙綴じ口に入れやすい紙綴じ器を提供することができる。
【図面の簡単な説明】
【００１５】
【図１】本考案に係る紙綴じ器の一実施の形態を示す平面図である。
【図２】従来の紙綴じ器を示す斜視図である。
【考案を実施するための最良の形態】
【００１６】
以下、添付図面に示す実施の形態に基づき、本考案を詳細に説明する。
図１に示すように、本実施の形態に係る紙綴じ器１０は、複数枚の紙の端部に厚さ方向に貫通部を形成することにより紙を綴じる紙綴じ器であって、周方向に沿って開口する紙挿入孔部１１を有するボディ部１２と、上記ボディ部１２の下方に配設され、上記ボディ部１２内において軸方向に沿って上下動し、上記紙挿入孔部１１との間に綴じる紙を挟持しうるベース部１３と、上記ボディ部１２の上方に配設され、上記ボディ部１２内において軸方向に沿って上下動し、上記紙挿入孔部１１の上縁部１４と上記ベース部１３との間に挟持された紙の端部を貫通させて複数の紙を厚さ方向に綴じる綴じ部１５とを有している。
【００１７】
上記ボディ部１２、ベース部１３及び綴じ部１５は円筒状に形成されている。
上記ボディ部１２は上半部１２ａと下半部１２ｂとからなり、下半部１３ｂは、上記紙挿入孔部１１の前方へ延出して下方へ傾斜する傾斜面部１６を有する挿入支持部１７を備えている。上記紙挿入支持部１７は、略舌片状に形成されている。
【００１８】
そして、本実施の形態に係る紙綴じ器１０の紙挿入孔部１１は、最大５枚の紙が挿入できるように形成されている。即ち、上記紙挿入孔部１１の上端部１１ａと上記ベース部１３との間の間隔寸法Ｌは、５枚の一般的な紙の厚さ寸法の合計値である、約０．５ｍｍに形成されている。
【００１９】
従って、請求項１記載の考案にあっては、５枚以下の紙を重ねた状態でのみ使用することができ、６枚以上の紙を重ねて同時に紙挿入孔部１１内へ入れようとしても入らない。
【００２０】
その結果、６枚以上の多数枚の紙を同時に紙挿入孔部１１内へ入れることはできず、他数枚の紙を同時に挿入して紙綴じを行うことはできないことから、紙綴じ器１０の作動不良の事態を予防することができる。
【００２１】
上記実施の形態にあっては、ボディ部、ベース部及び綴じ部が全体略円筒状に形成された場合を例に説明したが、上記実施の形態に限定されない。
【産業上の利用可能性】
【００２２】
本考案に係る紙綴じ器に係る技術的思想は、広く各種の紙綴じ器に適用することができる。
【符号の説明】
【００２３】
１０  紙綴じ器
１１  紙挿入孔部
１２  ボディ部
１２ａ  上半部
１２ｂ  下半部
１３  ベース部
１４  上縁部
１５  綴じ部
１６  傾斜面部
１７  挿入支持部
２０  紙綴じ器
２１  ボディ部  
２２  開孔部
２３  上縁部
２４  ベース部